(57)【要約】【課題】  消費者の興味を引いて期待度を高めることができるデザインを備えた低価格のラベルを提供することを課題とする。また、本発明は、デザイン変更に伴うコストの増加が少なく、消費者の興味を引いて期待度を高めることができるデザインを備えたラベルを製造するラベル製造方法を提供する。【解決手段】  本発明のラベル１は、シート状のラベル本体２を備える。ラベル本体２は、少なくとも何れか一端側にレーザー加工を対象とするインク層４が設けられ、一端側にあるインク層４がレーザー加工されて消費者に対する期待度に関する情報を含む期待度表示５が視認可能に形成されている。また、ラベル本体２は、少なくとも何れか他端側に第一の隠蔽部６が設けられ、ラベル本体２を容器３に巻装した状態で、第一の隠蔽部６と期待度表示５とが重なり合うように構成されている。【選択図】図１
2012154963.tif 000002
【特許請求の範囲】
【請求項１】
シート状のラベル本体を備え、該ラベル本体を対象物に巻き付けた状態で前記ラベル本体の一端側と他端側とが重なるように剥離可能に貼り合わされるラベルであって、前記ラベル本体は、少なくとも何れか一端側にレーザー加工を対象とするインク層が設けられ、一端側にあるインク層がレーザー加工されて消費者に対する期待度に関する情報を含む期待度表示が視認可能に形成され、少なくとも何れか他端側に第一の隠蔽部が設けられ、前記ラベル本体を前記対象物に巻装した状態で、前記第一の隠蔽部と前記期待度表示とが重なり合うように構成されていることを特徴とするラベル。
【請求項２】
前記ラベル本体は、少なくとも一端側に非透過性の第二の隠蔽部が設けられ、前記期待度表示が前記第二の隠蔽部に重なるように配置されていることを特徴とする請求項１に記載のラベル。
【請求項３】
前記ラベル本体は、一端側に前記期待度表示が設けられ、他端側に前記第一の隠蔽部が設けられていることを特徴とする請求項１又は２に記載のラベル。
【請求項４】
前記第一の隠蔽部は、前記期待度表示の形態と対応した形態の隠蔽用表示を含む情報表示で構成され、少なくとも情報表示が設けられる領域は、透過性を有し、前記ラベル本体を前記対象物に巻装した状態で、前記期待度表示上に前記隠蔽用表示が重なるように構成されていることを特徴とする請求項３に記載のラベル。
【請求項５】
前記情報表示は、文字、図形、記号、符号又はそれらの組み合わせによって表示されている請求項４に記載のラベル。
【請求項６】
前記ラベル本体は、一端側及び他端側の少なくとも何れか一方に、透過性のある接着層が形成されている請求項４又は５の何れか一項に記載のラベル。
【請求項７】
請求項１乃至６の何れか一項に記載のラベルを製造するラベル製造方法において、透明シートの少なくとも何れか一端側にレーザー加工を対象とするインク層を形成するインク層形成工程と、一端側にあるインク層がレーザー加工されて消費者に対する期待度に関する情報を含む期待度表示を視認可能に形成する期待度表示形成工程と、前記透明シートの少なくとも何れか他端側に第一の隠蔽部を形成する第一の隠蔽部形成工程と、を含むことを特徴とするラベル製造方法。
【請求項８】
透明シートの少なくとも一端側に非透過性の第二の隠蔽部を形成する工程をさらに含むことを特徴とする請求項７に記載の方法。
【発明の詳細な説明】
【技術分野】
【０００１】
本発明は、ボトル等の対象物に巻装するラベル及び該ラベルを製造するラベル製造方法に関し、特に、消費者に対する期待度に関する情報を含むラベル及び該ラベルを製造するラベル製造方法に関する。
【背景技術】
【０００２】
従来から、くじ、応募要項等の情報を備えたラベルが提供されている（例えば、特許文献１参照）。
【０００３】
かかるラベルは、シート状のラベル本体を備え、該ラベル本体を日用品や食品等の商品（以下、対象物という）に、巻き付けた状態でラベル本体の一端側と他端側とが重なるように剥離可能に貼り合わされる。ラベル本体は、一端側に非透過領域が設けられ、他端側に、消費者に対する期待度に関する情報を含む表示（くじ等に関する情報）が視認可能に設けられている。そして、かかるラベルは、対象物に巻装された状態でくじ等に関する表示が非透過領域に覆われて隠蔽され、ラベル本体の一端側を他端側から剥離することで、くじ等に関する表示が露出して、消費者にその内容が認識されるようになっている。
【先行技術文献】
【特許文献】
【０００４】
【特許文献１】特開平９−２１２０９２号公報
【発明の概要】
【発明が解決しようとする課題】
【０００５】
しかしながら、この種のラベルでは、くじ等に関する表示がグラビア印刷等の一般的な手法によって印刷されているため、印刷のデザインを変更する際に、そのデザインに対応する原版を作成する必要がある。そのため、デザイン変更に多大な費用を要することになり、デザインのバリエーションを簡単に変えることができないといった問題がある。また、デザインの変更を行うと、印刷用の装置にデザインに応じた原版をセットする必要があり、交換に手間がかかるといった問題がある。そのため、この種のラベルは、くじ等に関する表示のデザインに変更を加える機会が少なく、消費者の興味を引いて期待度を高めるのに限界があった。
【０００６】
そこで、本発明は、斯かる実情に鑑み、消費者の興味を引いて期待度を高めることのでラベルを提供することを課題とする。また、本発明は、デザイン変更に伴うコストの増加が少なく、消費者の興味を引いて期待度を高めることのできるラベルを製造するラベル製造方法を提供することを課題とする。
【課題を解決するための手段】
【０００７】
本発明に係るラベルは、シート状のラベル本体を備え、該ラベル本体を対象物に巻き付けた状態で前記ラベル本体の一端側と他端側とが重なるように剥離可能に貼り合わされるラベルであって、前記ラベル本体は、少なくとも何れか一端側にレーザー加工を対象とするインク層が設けられ、一端側にあるインク層がレーザー加工されて消費者に対する期待度に関する情報を含む期待度表示が視認可能に形成され、少なくとも何れか他端側に第一の隠蔽部が設けられ、前記ラベル本体を前記対象物に巻装した状態で、前記第一の隠蔽部と前記期待度表示とが重なり合うように構成されていることを特徴とする。なお、ここでは、「レーザー加工を対象とするインク層」とは、例えば、レーザー照射に伴って発色する（レーザー発色タイプ）のものや、レーザー照射に伴ってレーザーが照射された箇所のインクが除去（切削）されたり蒸発されたりするものをいう。
【０００８】
上記構成のラベルによれば、ラベル本体は、少なくとも何れか一端側にレーザー加工を対象とするインク層が設けられ、一端側にあるインク層がレーザー加工されて消費者に対する期待度に関する情報を含む期待度表示が視認可能に形成され、少なくとも何れか他端側に第一の隠蔽部が設けられ、前記ラベル本体を前記対象物に巻装した状態で、前記第一の隠蔽部と前記期待度表示とが重なり合うように構成されているため、ラベル本体を対象物に巻装した状態で、インク層に形成された期待度表示が第一の隠蔽部によって覆われた状態になる。従って、上記ラベルは、期待度表示が消費者によって視認されることを防止することができる。
【０００９】
また、上記構成のラベルによれば、期待度表示がレーザー加工によって視認可能に形成されるため、それぞれの印刷に応じて原版を作成したり変更したりする必要がなく、期待度表示のデザイン変更に伴って多大なコストを必要としない。また、レーザー加工は、微細な加工を高精度に行うことができるため、期待度表示は、視認性のみならず、デザイン性に優れたものになる。これにより、消費者の興味を引くことができる。
【００１０】
本発明の他態様として、前記ラベル本体は、少なくとも一端側に非透過性の第二の隠蔽部が設けられ、前記期待度表示が前記第二の隠蔽部に重なるように配置されていることが好ましい。
【００１１】
上述のように、期待度表示がレーザー加工によってインク層に形成されると、ラベル本体の反対側から期待度表示が確認できる（透けて見える）ことがあるが、上記構成のラベルによれば、ラベル本体は、少なくとも一端側に非透過性の第二の隠蔽部が設けられ、前記期待度表示が前記第二の隠蔽部に重なるように配置されるため、期待度表示が、第二の隠蔽部で透けて見えることが防止される。そのため、透過性のある対象物（例えば、水等を入れたペットボトル等の容器）に巻装しても、期待度表示が反対側から透けて見えることはない。
【００１２】
本発明の別の態様として、前記ラベル本体は、一端側に前記期待度表示が設けられ、他端側に前記第一の隠蔽部が設けられていることが好ましい。このようにすることで、対象物に巻装した状態で期待度表示が一箇所に配置されるため、消費者が混同を生じることがなく、ラベル本体の一端側を他端側から剥離することで、消費者が期待度表示を確実に認識することができる。
【００１３】
本発明のさらに別の態様として、前記第一の隠蔽部は、前記期待度表示の形態と対応した形態の隠蔽用表示を含む情報表示で構成され、少なくとも情報表示が設けられる領域は、透過性を有し、前記ラベル本体を前記対象物に巻装した状態で、前記期待度表示上に前記隠蔽用表示が重なるように構成されていることが好ましい。
【００１４】
上記構成のラベルによれば、第一の隠蔽部は、前記期待度表示の形態と対応した形態の隠蔽用表示を含む情報表示で構成され、少なくとも情報表示が設けられる領域は、透過性を有し、前記ラベル本体を前記対象物に巻装した状態で、前記期待度表示上に前記隠蔽用表示が重なるように構成されているため、情報表示が、消費者に対する期待度に関する情報を含む期待度表示の説明を兼ねることができ、消費者は、情報表示の内容から、期待度表示の内容を認識することができる。従って、上記ラベルは、消費者の興味を引いて、かつ消費者の期待感を高めることができる。
【００１５】
前記情報表示は、文字、図形、記号、符号又はそれらの組み合わせによって表示されていることが好ましい。このようにすることで、消費者に、期待感を高める情報を提供できると共に、情報伝達媒体として多くの情報を提供することができる。特に、情報表示は、図形や記号、符号を用いると、デザイン性に優れ、見た目に楽しく娯楽性のあるものとなる。
【００１６】
この場合、前記ラベル本体は、一端側及び他端側の少なくとも何れか一方に、透過性のある接着層が形成されていることが好ましい。
【００１７】
このようにすることで、期待度表示が第一の隠蔽部によって隠された状態で、消費者は、第一の隠蔽部側から期待度表示の周辺領域を視認することができ、例えば、期待度表示の周辺領域に模様を設けることで、デザイン性に優れたものとなる。
【００１８】
本発明のラベルを製造する方法は、上述のラベルを製造するラベル製造方法において、透明シートの少なくとも何れか一端側にレーザー加工を対象とするインク層を形成するインク層形成工程と、一端側にあるインク層がレーザー加工されて消費者に対する期待度に関する情報を含む期待度表示を視認可能に形成する期待度表示形成工程と、前記透明シートの少なくとも何れか他端側に第一の隠蔽部を形成する第一の隠蔽部形成工程と、を含むことを特徴とする。
【００１９】
上記方法によれば、期待度表示形成工程において、期待度表示がレーザー加工によって視認可能に形成されるため、それぞれの印刷に応じて原版を作成したり変更したりする必要がなく、期待度表示のデザイン変更に伴って多大なコストを必要としない。また、レーザー加工は、微細な加工を高精度に行うことができるため、期待度表示は、視認性のみならず、デザイン性に優れたものになる。これにより、消費者の興味を引くことができるラベルを製造することができる。
【００２０】
さらに、上記方法によれば、第一の隠蔽部形成工程において、透明シートの少なくとも何れか他端側に第一の隠蔽部を形成するため、透明シートがラベル本体になったラベルを対象物に巻装した状態で期待度表示が第一の隠蔽部によって覆われた状態になる。従って、上記ラベルは、期待度表示が消費者によって視認されることを防止することができる。
【００２１】
本発明の別の態様として、透明シートの少なくとも一端側に非透過性の第二の隠蔽部を形成する工程をさらに含むことが好ましい。
【００２２】
このようにすることで、インク層に形成された期待度表示が、第二の隠蔽部によってラベル本体の反対側から透けて見えることを防止することができる。これにより、透過性のある対象物（例えば、水等を入れたペットボトル等の容器）に対しても、期待度表示が透けて見えてしまうことのないラベルを製造することができる。
【発明の効果】
【００２３】
以上のように、本発明のラベルによれば、消費者の興味を引いて期待度を高めることができるといった優れた効果を奏し得る。
【００２４】
また、本発明のラベル製造方法は、デザイン変更に伴うコストの増加が少なく、消費者の興味を引いて期待度を高めることができるといった優れた効果を奏し得る。
【図面の簡単な説明】
【００２５】
【図１】本発明の一実施形態に係るラベルを対象物に巻装させた状態の斜視図である。
【図２】本発明の一実施形態に係るラベルの正面図である。
【図３】本発明の一実施形態に係るラベルの図２のＡ−Ａ線における概略断面図である。
【図４】本発明の他の実施形態に係るラベルを対象物に巻装させた状態の平面図である。
【発明を実施するための形態】
【００２６】
以下、本発明の一実施形態に係るラベルについて、添付図面を参照して説明する。
【００２７】
図１に示すように、本実施形態に係るラベル１は、対象物３に巻装させるものであり、本実施形態においては、ペットボトル等の容器３に巻装することを対象としている。かかるラベル１は、シート状のラベル本体２を備えている。本実施形態に係るラベル１は、容器３に巻き付けられた状態でラベル本体２の一端側と他端側とが重なるように剥離可能に貼り合わされる。
【００２８】
本実施形態において、ラベル本体２は、ポリエステルやポリプロピレン等の合成樹脂製の略長方形状の透明シートで構成されており、図２及び図３に示すように、一方の面に、商品名やキャッチコピー等を含む表示層（本実施形態においては、「ドリンク」の文字を含むデザイン）Ｐが、グラビア印刷や凸版印刷等の一般的な手法によって設けられる。すなわち、本実施形態では、表示層Ｐは、ラベル本体２の一端から他端側にかけて施されており、ラベル本体２の他端部を除く所定領域に施されている。
【００２９】
ラベル本体２は、少なくとも何れか一端側にレーザー加工を対象とするインク層４が設けられ、一端側にあるインク層４がレーザー加工されて消費者に対する期待度に関する情報を含む期待度表示５が視認可能に形成されている（図２参照）。また、ラベル本体２は、少なくとも何れか他端側に第一の隠蔽部６が設けられ、該第一の隠蔽部６は、ラベル本体２を容器３に巻装した状態で、期待度表示５と重なり合うように構成されている（図１参照）。
【００３０】
本実施形態においては、ラベル本体２は、一端側（一端部）に期待度表示５が設けられ、他端側（他端部）に第一の隠蔽部６が設けられている。そして、ラベル１は、ラベル本体２を対象物としての容器３に巻装した状態で、他端側の第一の隠蔽部６が、一端側の期待度表示５に重なるように構成されている。
【００３１】
また、ラベル本体２は、少なくとも一端側に非透過性の第二の隠蔽部７が設けられ、期待度表示５が第二の隠蔽部７に重なるように配置されている。
【００３２】
第二の隠蔽部７は、ラベル本体２の一方の面に対する印刷により形成されている。本実施形態において、第二の隠蔽部７は、ラベル本体２の一端部に形成されている。本実施形態においては、表示層Ｐ及び第二の隠蔽部７の形成領域が重複しているため、表示層Ｐが第二の隠蔽部７を兼用している。
【００３３】
期待度表示５は、上述のように、ラベル本体２の一端側に設けられ、ラベル本体２の一方の面に形成されている。本実施形態においては、期待度表示５は、第二の隠蔽部７上にある。また、本実施形態においては、期待度表示５は、図２に示すように、「当り」の文字で表示されている。具体的には、ラベル本体２の一端側（一端部）に設けられたインク層４にレーザー光を照射することで、インク層４中の期待度表示５に該当する部分を削って、期待度表示５である「当り」の文字が形成されている。
【００３４】
第一の隠蔽部６は、上述のように、ラベル本体２の他端側（他端部）に設けられ、印刷によって期待度表示５と同じ面に形成されている。本実施形態では、第一の隠蔽部６は、期待度表示５の形態と対応した形態の隠蔽用表示６ａを含む情報表示で構成されている。少なくとも情報表示６が設けられる領域は、透過性を有している。第一の隠蔽部６は、ラベル本体２を容器３に巻装した状態で、期待度表示５上に隠蔽用表示６ａが重なるように配置されている。
【００３５】
本実施形態において、第一の隠蔽部としての情報表示６は、文字、図形、記号、符号又はそれらの組み合わせによって表示されている。具体的には、本実施形態においては、情報表示６は、期待度表示５の形態と対応した形態の隠蔽用表示６ａとしての「当り」の文字を含む「当りが出ればもう一本」という文字で構成されている。本実施形態に係るラベル１は、ラベル本体２を容器３に巻き付けられて、ラベル本体２の一端側と他端側とが重なるように貼り合わせられることで、期待度表示５としての「当り」の文字に隠蔽用表示６ａとしての「当り」の文字が重なるように構成されている。
【００３６】
また、本実施形態においては、少なくとも情報表示６の隠蔽用表示６ａは、期待度表示５よりも太くなるように形成されている。これにより、ラベル本体２の一端側と他端側との貼り合わせが多少ずれた場合でも、期待度表示５が隠蔽用表示６ａに隠され、ラベル本体２の一端側と他端側とが貼り合わされた状態では、消費者が期待度表示５を視認できにくくなっている。
【００３７】
また、ラベル本体２は、容器３に巻き付けた状態で互いに重なる一端側及び他端側の少なくとも何れか一方に、透過性のある接着層９が形成されている。本実施形態においては、ラベル本体２の一端側（期待度表示５のある領域）に接着層９が形成されており、ラベル本体２を容器３に巻き付けて、ラベル本体２の一端側と他端側とを互いに重ね合わせた状態で、ラベル本体２の一端側と他端側とを接着層９によって接着できるようになっている。
【００３８】
すなわち、本実施形態においては、ラベル１を容器３に巻き付けた状態で、ラベル本体２の一端側と他端側とが接着層９によって接着され、期待度表示５としての「当り」の文字は、情報表示６側（本実施形態においては、容器３の外側）からは隠蔽用表示６ａとしての「当り」の文字と重なり合うことによって隠されるとともに、非透過性の第二の隠蔽部７側（本実施形態においては、容器３の内側）からは該第二の隠蔽部７によって隠されて、消費者が期待度表示５としての「当り」の文字を視認できないようになっている。
【００３９】
また、本実施形態においては、ラベル本体２の一端側と他端側との接着を剥離することで、第二の隠蔽部７上に設けられた期待度表示５としての「当り」の文字が露出して認識できるようになる。なお、言うまでもなく、期待度表示５が消費者に対して期待度の高いものである場合、期待度表示５としての「当り」の文字が設けられ、期待度表示５が消費者に対して期待度の低いものである場合、無地（表示がないこと）又は違う文字の表示が設けられている。
【００４０】
本実施形態に係るラベル１の構成についての説明は以上の通りであり、次に、このように構成されたラベル１の製造方法について説明する。
【００４１】
本実施形態に係るラベル１の製造方法は、透明シートの少なくとも何れか一端側にレーザー加工を対象とするインク層４を形成するインク層形成工程と、一端側にあるインク層４がレーザー加工されて、消費者に対する期待度に関する情報を含む期待度表示５を視認可能に形成する期待度表示形成工程と、少なくとも何れか他端側に第一の隠蔽部６を形成する第一の隠蔽部形成工程と、を含む。また、本実施形態に係るラベル１の製造方法は、透明シートの少なくとも一端側に非透過性の第二の隠蔽部を形成する工程をさらに含む。
【００４２】
具体的には、透明シートの所定領域に商品名やキャッチコピー等の表示層Ｐの印刷を施す。本実施形態においては、表示層Ｐ及び第二の隠蔽部７の形成領域が重複しているので、１回の印刷で、表示層と第二の隠蔽部７とが形成される（第二の隠蔽部形成工程）。
【００４３】
そして、透明シートの何れか一端側にレーザー加工を対象とするインク層４を形成し（インク層形成工程）、一端側にある該インク層４がレーザー加工されて、消費者に対する期待度に関する情報を含む期待度表示５を視認可能に形成する（期待度表示形成工程）。
【００４４】
そして、透明シートの何れか他端側に、上述のような一般的な印刷によって、期待度表示５を覆うための第一の隠蔽部６を形成する（第一の隠蔽部形成工程）。この場合、ラベル本体２の一端側と他端側とが重なるように貼り合わされた状態で、期待度表示５に重なるように第一の隠蔽部６を形成する。そして、ラベル本体２の巻き付けた状態で互いに重なる一端側及び他端側の少なくとも何れか一方に、透過性のある接着層９を形成する。
【００４５】
そして、透明シートを所定領域毎に切断することによって、ラベル本体２を含む複数のラベル１が形成される。
【００４６】
このようにして形成されたラベル１のラベル本体２を容器３に巻き付けた状態でラベル本体２に形成された透過性のある接着層９によってラベル本体２の一端側と他端側とが重なるように貼り付ける。このようにして、期待度表示５が第一の隠蔽部６に隠されて視認できないようになる、
【００４７】
以上のように、シート状のラベル本体２を備え、該ラベル本体２を対象物に巻き付けた状態でラベル本体２の一端側と他端側とが重なるように剥離可能に貼り合わされるラベルであって、ラベル本体２は、少なくとも何れか一端側にレーザー加工を対象とするインク層４が設けられ、一端側にあるインク層４がレーザー加工されて消費者に対する期待度に関する情報を含む期待度表示５が視認可能に形成され、少なくとも何れか他端側に第一の隠蔽部６が設けられ、ラベル本体２を対象物としての容器３に巻装した状態で、第一の隠蔽部６と期待度表示５とが重なり合うように構成されているため、ラベル本体２を容器３に巻装した状態で、インク層４に形成された期待度表示５が第一の隠蔽部６によって覆われた状態になる。従って、上記ラベル１は、期待度表示５が消費者によって視認されることを防止することができる。
【００４８】
また、上記構成のラベルによれば、期待度表示５がレーザー加工によって視認可能に形成されるため、それぞれの印刷に応じて原版を作成したり変更したりする必要がなく、期待度表示５のデザイン変更に伴って多大なコストを必要としない。また、レーザー加工は、微細な加工を高精度に行うことができるため、期待度表示５は、視認性のみならず、デザイン性に優れたものになる。これにより、消費者の興味を引くことができる。
【００４９】
また、ラベル本体２は、少なくとも一端側に非透過性の第二の隠蔽部７が設けられ、期待度表示５が第二の隠蔽部７に重なるように配置されているため、期待度表示５が、第二の隠蔽部７で透けて見えてしまうことが防止される。そのため、透過性のある対象物（例えば、水等を入れたペットボトル等の容器）に巻装しても、期待度表示５が反対側から透けて見えてしまうことがない。
【００５０】
また、ラベル本体２は、一端側に期待度表示５が設けられ、他端側に第一の隠蔽部６が設けられているため、容器３に巻装した状態で期待度表示５が一箇所に配置され、消費者が混同を生じることがなく、ラベル本体２の一端側を他端側から剥離することで、消費者が期待度表示５を確実に認識することができる。
【００５１】
また、第一の隠蔽部６は、期待度表示５の形態と対応した形態の隠蔽用表示６ａを含む情報表示で構成され、少なくとも情報表示６が設けられる領域は、透過性を有し、ラベル本体２を容器３に巻装した状態で、期待度表示５上に隠蔽用表示６ａが重なるように構成されているため、情報表示６が、消費者に対する期待度に関する情報を含む期待度表示５の説明を兼ねることができ、消費者は、情報表示６の内容から、期待度表示５の内容を認識することができる。従って、上記ラベル１は、消費者の興味を引いて、かつ消費者の期待感を高めることができる。
【００５２】
また、情報表示６は、文字、図形、記号、符号又はそれらの組み合わせによって表示されているため、消費者に、期待感を高める情報を提供できると共に、情報伝達媒体として多くの情報を提供することができる。特に、情報表示６は、図形や記号、符号を用いると、デザイン性に優れ、見た目に楽しく娯楽性のあるものとなる。
【００５３】
また、ラベル本体２が一端側及び他端側の少なくとも何れか一方に、透過性のある接着層９が形成されているため、期待度表示５が第一の隠蔽部としての情報表示６によって隠された状態で、消費者は、第一の隠蔽部６側から期待度表示５の周辺領域を視認することができ、例えば、期待度表示５の周辺領域に模様を設けることで、デザイン性に優れたものとなる。
【００５４】
また、本実施形態に係るラベル１を製造する方法は、透明シートの少なくとも何れか一端側にレーザー加工を対象とするインク層４を形成するインク層形成工程と、一端側にあるインク層４がレーザー加工されて消費者に対する期待度に関する情報を含む期待度表示５を視認可能に形成する期待度表示形成工程と、前記透明シートの少なくとも何れか他端側に第一の隠蔽部６を形成する第一の隠蔽部形成工程と、を含むため、期待度表示形成工程において、期待度表示がレーザー加工によって視認可能に形成され、それぞれの印刷に応じて原版を作成したり変更したりする必要がなく、期待度表示のデザイン変更に伴って多大なコストを必要としない。また、レーザー加工は、微細な加工を高精度に行うことができるため、期待度表示は、視認性のみならず、デザイン性に優れたものになる。これにより、消費者の興味を引くことができるラベルを製造することができる。
【００５５】
さらに、上記方法によれば、第一の隠蔽部形成工程において、透明シートの少なくとも何れか他端側に第一の隠蔽部を形成するため、透明シートがラベル本体になったラベルを対象物に巻装した状態で期待度表示が第一の隠蔽部によって覆われた状態になる。従って、上記ラベルは、期待度表示が消費者によって視認されることを防止することができる。
【００５６】
また、上記方法によれば、透明シートの少なくとも一端側に非透過性の第二の隠蔽部を形成する工程をさらに含むため、インク層に形成された期待度表示が、第二の隠蔽部によってラベル本体の反対側から透けて見えることを防止することができる。これにより、透過性のある対象物（例えば、水等を入れたペットボトル等の容器）に対しても、期待度表示が透けて見えてしまうことのないラベルを製造することができる。
【００５７】
なお、本発明は、上記実施形態に限定されるものではなく、本発明の要旨を逸脱しない範囲で適宜変更し得ることは勿論のことである。
【００５８】
上記実施形態においては、ラベル本体２は、容器３に巻装した状態でインク層４に重なるように非透過性の第二の隠蔽部７が設けられているが、これに限定されず、例えば、容器３や容器３中の内容物が着色されているような場合等には、インク層４に形成された期待度表示５は、容器３や容器３中の内容物によって透視不能であるため、第二の隠蔽部７を設けなくてもよい。ただ、万全を期すため、期待度表示５がラベル本体２の裏側から隠蔽されることをより確実に防止するためには、第二の隠蔽部７を設けることが好ましい。
【００５９】
上記実施形態においては、透明シートの何れか一面側に、表示層Ｐ及び第二の隠蔽部７を印刷した後、期待度表示５と第一の隠蔽部６とを、それぞれ各工程で印刷するようにしたが、これに限定されず、生産効率を考え、例えば、表示層Ｐ及び第二の隠蔽部７と同時に、第一の隠蔽部６を印刷してもよい。
【００６０】
上記実施形態においては、情報表示６は、隠蔽用表示６ａとしての「当り」の文字を含むようにしたが、これに限定されず、情報表示６は、例えば、「もう一本キャンペーン中」や「もう一本プレゼント中」等の文字、丸印や星型、多角形等の図形、商品名やデザインロゴ等の記号や符号等であってもよい。期待度表示５が隠蔽用表示６ａを含む情報表示６によって覆われることができるとともに、消費者が情報表示６を視認することで、ラベル本体２に消費者に対する期待度に関する情報があることを認識できるものであればよい。この場合も、情報表示６が消費者に対する期待度に関する情報の説明を兼ねていることが好ましい。なお、第一の隠蔽部６は、情報表示を含むものに限定されず、情報を含まない非透過性のものであってもよい。
【００６１】
上記実施形態においては、期待度表示５は、ラベル本体２の一端側（一端部）に設けられたインク層４にレーザー光を照射することで、インク層４中の期待度表示５に該当する部分（「当り」）を削って、期待度表示５を形成しているが、これに限定されず、例えば、インク層４はレーザー発色タイプのインクで形成してもよい。この場合、レーザー発色タイプのインクにレーザー光を照射することで、インク層４中の期待度表示５に該当する部分（「当り」）のインクを発色させて期待度表示５を形成することができる。
【００６２】
上記実施形態においては、ラベル本体２は、巻き付けた状態で互いに重なる一端側及び他端側の少なくとも何れか一方に、透過性のある接着層９が形成されているが、これに限定されず、接着層９は、透明性のあるもののみならず、半透明性のものや白濁したものなどであってもよく、消費者が、期待度表示５や情報表示６を視認可能となるものであればよい。
【００６３】
上記実施形態においては、ラベル１は、ラベル本体２の少なくとも一端側に設けられているが、これに限定されず、例えば、第二の隠蔽部７を着色フィルムで構成して、ラベル１と貼り合わせてもよい。
【００６４】
上記実施形態においては、ラベル本体２上に期待度表示５及び情報表示６をそれぞれ一つずつ形成しているが、これに限定されず、例えば、図４に示すように、期待度表示及び情報表示がラベル本体２の一端側と他端側の両方に設けられてもよい。なお、説明の都合上、図４においては、ラベル本体２の一端側と他端側とを、少し剥離した状態にしている。
【００６５】
この場合、図４に示すように、ラベル本体２を容器３に巻装すると、ラベル本体２の一端側に、第二の隠蔽部４０ａに重なるように設けられたレーザー加工を対象とする一方のインク層５０ａが設けられ、該インク層５０ａがレーザー加工されて、消費者に対する期待度に関する情報を含む一方の期待度表示７０ａが視認可能に形成されるとともに、巻装した状態で一方の期待度表示７０ａと重なり合う他端側に一方の第一の隠蔽部６０ａが設けられるように構成されている。
【００６６】
そして、消費者は、容器３の内側（図４中の矢印Ａの方向）から第一の隠蔽部としての情報表示８０ａを視認することができ、消費者は、ラベル本体２の一端側と他端側とを剥離した後、露出された期待度表示７０ａを視認することができる。
【００６７】
また、ラベル本体２の他端側の第一の隠蔽部６０ａに隣接する領域に設けられた他方の第二の隠蔽部４０ｂに重なるように設けられたインク層５０ｂがレーザー加工されて、消費者に対する期待度に関する情報を含む他方の期待度表示７０ｂが視認可能に形成されるとともに、巻装した状態で他方の期待度表示７０ｂと重なり合う一端側に他方の第一の隠蔽部６０ｂが設けられるように構成されている。
【００６８】
そして、消費者は、容器３の外側（図４中の矢印Ｂの方向）から他方の第一の隠蔽部としての情報表示６０ｂを視認することができ、消費者は、ラベル本体２の一端側と他端側とを剥離した後、露出された期待度表示７０ｂを視認することができる。
【００６９】
これにより、消費者は、ラベル本体２に設けられた両方の期待度表示７０ａ，７０ｂによって期待感が高められ、もし消費者が一方の期待度表示７０ａ又は７０ｂの結果に満足できない場合でも、消費者は、他方の期待度表示７０ｂ又は７０ａを視認する機会を得ることができ、他方の期待度表示７０ｂ又は７０ａの結果に満足できる。なお、情報表示８０ａ，８０ｂが情報を含むようにしたが、これに限定されず、情報を含んでいなくてもよい。
【符号の説明】
【００７０】
１…ラベル、２…ラベル本体、３…容器、４，５０ａ，５０ｂ…インク層、５，７０ａ，７０ｂ…期待度表示、６，６０ａ，６０ｂ，…第一の隠蔽部（情報表示）、６ａ…隠蔽用表示、７，４０ａ，４０ｂ…第二の隠蔽部、９…接着層、８０ａ，８０ｂ…情報表示Ｐ…印刷。
【図１】
2012154963.tif 000003
【図２】
2012154963.tif 000004
【図３】
2012154963.tif 000005
【図４】
2012154963.tif 000006